(57)【特許請求の範囲】
【請求項１】
床パンの一辺に沿って下載置部を形成し、該一辺にコーナー段差面を介して直交状に連続する他辺に沿って該下載置部よりも一段高い上載置部を形成し、上載置部の外縁から立ち上げた立上片のコーナー段差面側の側端部に平面視略Ｌ字形のジョイナー受け部材を取り付けると共に、柱状で前方に開口する断面略コ字状のジョイナーの下端部をジョイナー受け部材にて支持し、浴室のコーナー壁を構成する壁パネルとして、下載置部上に立設する下側壁パネルと、上載置部上に立設され下側壁パネルよりも上下長さの短い上側壁パネルを備え、両壁パネルの表面板の側縁及び下縁から後方に向けて側片及び底片を突出させると共に側片の後端を内側で折り返して係止部を形成し、両壁パネルの対向する各係止部をジョイナーの両側壁の前端部の内側に形成した被係止部にそれぞれ係止させた状態で上側壁パネルの上下方向全長に亘って上側壁パネルと下側壁パネルの両側縁間にガスケットを打ち込んで成るコーナー用壁パネルの接続構造において、
上記上載置部の立上片のコーナー段差面側の側端部から、上載置部のコーナー段差面側の側端部よりも該立上片と平行な方向に向けて下側壁パネルの厚みと略同じ幅寸法で突出し且つその先端から下側壁パネルの面方向に向けて該立上片と直交方向に屈曲する平面視略Ｌ字形の立上片延長部を突設し、上記平面視略Ｌ字形のジョイナー受け部材の上面にジョイナーの下端部を嵌め込む嵌入部を形成し、ジョイナー受け部材の左右両端の下部に上載置部の立上片及び立上片延長部にそれぞれ取り付けられる一対の嵌込凹部を形成し、ジョイナー受け部材の左右両端の前面側にその上下方向全長に亘って壁パネルの係止部が挿入可能な一対の収納溝をそれぞれ形成し、上記ジョイナー受け部材の一対の嵌込凹部を立上片及び立上片延長部にそれぞれ嵌め込んだ状態で上側壁パネルの右隣りに下側壁パネルが配設される場合はジョイナー受け部材の右側の収納溝に下側壁パネルの係止部を収納し得るようにし、一方、上側壁パネルの左隣りに下側壁パネルが配設される場合はジョイナー受け部材の左側の収納溝に下側壁パネルの係止部を収納し得るように左右勝手自在としてなることを特徴とするコーナー用壁パネルの接続構造。
【請求項２】
上記上側壁パネルの下隅部において側片と底片を一体に連続させると共に、係止部の下端を底片よりも上方に位置させて係止部の下端と底片との間に後方に開口する空所を形成し、上記ジョイナー受け部材の右側の収納溝に下側壁パネルの係止部が収納される場合はジョイナー受け部材の左側の収納溝に上側壁パネルの空所に対応する側縁部分が収納され、一方、ジョイナー受け部材の左側の収納溝に下側壁パネルの係止部が収納される場合はジョイナー受け部材の右側の収納溝に上側壁パネルの空所に対応する側縁部分が収納されるようになっていることを特徴とする請求項１記載のコーナー用壁パネルの接続構造。
【請求項３】
上記立上片延長部の下端をコーナー段差面に沿って下方に垂下させて下載置部の外縁から立ち上げた立上片のコーナー段差面側の側端部に連続形成してなることを特徴とする請求項１記載のコーナー用壁パネルの接続構造。
【請求項４】
上記立上片延長部と上載置部の側端部との間のスペースに、上端が上載置部の上面に位置し且つ下端が下載置部の上面に位置するようにバックアップ材を収納し、バックアップ材の前面側において下側壁パネルの側片部分とこれに対向する床パンの側面部分との目地部を形成して、上記ガスケットと略一直線上に連続するように目地部にコーキング材を充填してなることを特徴とする請求項３記載のコーナー用壁パネルの接続構造。
【発明の詳細な説明】
【技術分野】
【０００１】
本発明は、コーナー用壁パネルの接続構造に関し、詳しくは床パンのコーナー段差面において直交する一対の壁パネルの側縁同士をジョイナーを介して接続するにあたって、ジョイナーの下端部を支持するためのジョイナー受け部材の構造に関するものである。
【背景技術】
【０００２】
従来より、高さが等しいコーナー部において１対の壁パネルの側縁同士を直交状に接続する場合において、平面視略Ｖ字形のジョイナー受け部材の左右両側に設けた引掛けフックをコーナー部に跨るようにして引っ掛け、ジョイナーの下端部をジョイナー受け部材の嵌入部に嵌め込んだ状態で、両壁パネルの各側縁部をジョイナーの前面開口に嵌め込んで接続する構成が知られている（例えば、特許文献１参照）。
【０００３】
ところが従来のジョイナー受け部材では、高さが等しいコーナー部においての使用に限定され、例えば、床パンからの上下高さが異なる段差面を有するコーナー段差面の使用には適さないものであった。
【０００４】
そこで、本発明者は、本発明に至る過程で、図２０に示すコーナー段差面６に使用可能なジョイナー受け部材５０を開発した。このジョイナー受け部材５０は、図１８に示すように、左用と右用とが異なる構造をしている。図１８（ａ）の左用のジョイナー受け部材５０Ａは、左側後部に嵌込凹部２０を設け、右側前部に収納溝６２を設けたものであり、図１８（ｂ）の右用のジョイナー受け部材５０Ｂは、右側後部に嵌込凹部２０を設け、左側前部に収納溝６２を設けたものである。例えば、図１９、図２０のような下側壁パネル９Ｂの左隣り上側壁パネル９Ａが配設される場合は、図１８（ａ）の左用のジョイナー受け部材５０Ａを用い、その嵌込凹部２０を上載置部３の立上片５に嵌め込んだ状態で、ジョイナー７の下端をジョイナー受け部材５０Ａの嵌入部１９に嵌め込むと共にジョイナー７の両側の被係止部４０に壁パネル９Ａ，９Ｂの各係止部１５を係止させて接続し、さらにジョイナー受け部材５０Ａの右側の収納溝６２に下側壁パネル９Ｂの係止部１５を収納できるようにする。これとは逆に下側壁パネル９Ｂの右隣り上側壁パネル９Ａが配設される場合は、図１８（ｂ）の左用のジョイナー受け部材５０Ｂを用いて同様な方法で壁パネル９Ａ，９Ｂをジョイナー７を介して接続する。なお図１９中の６０はシーリング剤、図２０中の６１は接続ピースである。
【０００５】
ところが上記のジョイナー７を支持するために用いられるジョイナー受け部材５０は、左用５０Ａと右用５０Ｂとで異なる構造をしており、部品数が増加して、製造コストが高くつくという課題がある。しかも、ジョイナー受け部材５０の左右いずれか一方に設けた嵌込凹部２０だけが立上片５に片持ち支持される構造であるため、ジョイナー７を支持するためのジョイナー受け部材５０の取り付けの安定性が悪いという課題もある。
【特許文献１】特開２００３−２７６３２号公報
【発明の開示】
【発明が解決しようとする課題】
【０００６】
本発明は上記の従来の問題点に鑑みて発明したものであって、床パンのコーナー段差面において共通する１種のジョイナー受け部材を左右勝手自在に使用できるようにして、部品数を削減して製造コストの低減を図ることができ、そのうえ、ジョイナーを支持するジョイナー受け部材の取り付けの安定性及び納まりを良くすることができるコーナー用壁パネルの接続構造を提供することを課題とするものである。
【課題を解決するための手段】
【０００７】
上記課題を解決するために本発明は、床パン１の一辺１ａに沿って下載置部２を形成し、該一辺１ａにコーナー段差面６を介して直交状に連続する他辺１ｂに沿って該下載置部２よりも一段高い上載置部３を形成し、上載置部３の外縁から立ち上げた立上片５のコーナー段差面６側の側端部に平面視略Ｌ字形のジョイナー受け部材８を取り付けると共に、柱状で前方に開口する断面略コ字状のジョイナー７の下端部をジョイナー受け部材８にて支持し、浴室のコーナー壁を構成する壁パネル９として、下載置部２上に立設する下側壁パネル９Ｂと、上載置部３上に立設され下側壁パネル９Ｂよりも上下長さの短い上側壁パネル９Ａを備え、両壁パネル９Ａ，９Ｂの表面板１０の側縁１１及び下縁１２から後方Ａに向けて側片１３及び底片１４を突出させると共に側片１３の後端を内側で折り返して係止部１５を形成し、両壁パネル９Ａ，９Ｂの対向する各係止部１５をジョイナー７の両側壁７ａの前端部の内側に形成した被係止部４０にそれぞれ係止させた状態で上側壁パネル９Ａの上下方向全長に亘って上側壁パネル９Ａと下側壁パネル９Ｂの両側縁１１間にガスケット１７を打ち込んで成るコーナー用壁パネルの接続構造において、
上記上載置部３の立上片５のコーナー段差面６側の側端部から、上載置部３のコーナー段差面６側の側端部よりも該立上片５と平行な方向に向けて下側壁パネル９Ｂの厚みと略同じ幅寸法で突出し且つその先端から下側壁パネル９Ｂの面方向に向けて該立上片５と直交方向に屈曲する平面視略Ｌ字形の立上片延長部１８を突設し、上記平面視略Ｌ字形のジョイナー受け部材８の上面にジョイナー７の下端部を嵌め込む嵌入部１９を形成し、ジョイナー受け部材８の左右両端の下部に上載置部３の立上片５及び立上片延長部１８にそれぞれ取り付けられる一対の嵌込凹部２０を形成し、ジョイナー受け部材８の左右両端の前面側にその上下方向全長に亘って壁パネル９の係止部１５が挿入可能な一対の収納溝２１をそれぞれ形成し、上記ジョイナー受け部材８の一対の嵌込凹部２０を立上片５及び立上片延長部１８にそれぞれ嵌め込んだ状態で、上側壁パネル９Ａの右隣りに下側壁パネル９Ｂが配設される場合はジョイナー受け部材８の右側の収納溝２１に下側壁パネル９Ｂの係止部１５を収納し得るようにし、一方、上側壁パネル９Ａの左隣りに下側壁パネル９Ｂが配設される場合はジョイナー受け部材８の左側の収納溝２１に下側壁パネル９Ｂの係止部１５を収納し得るように左右勝手自在としてなることを特徴としている。
【０００８】
このような構成とすることで、上載置部３の立上片５から平面視略Ｌ字形の立上片延長部１８を突設して、該立上片５及び立上片延長部１８に対してジョイナー受け部材８の左右両側の嵌込凹部２０をそれぞれ嵌め込むことにより、上側壁パネル９Ａの右隣りに下側壁パネル９Ｂが配設される場合や、上側壁パネル９Ａの左隣りに下側壁パネル９Ｂが配設される場合のいずれにおいても、１つのジョイナー受け部材８で左右勝手で使用できるようになる。しかもジョイナー受け部材５０の左右の嵌込凹部２０が立上片５と立上片延長部１８とに両持ち支持されるため、従来のような片持ち支持される場合と比較して取り付けの安定性が良くなると共に、立上片延長部１８は下側壁パネル９Ｂの厚みと略同じ幅寸法で突出するので、立上片延長部１８が下側壁パネル９Ｂからはみ出すことがなく、結果、ジョイナー受け部材８の納まりも良好となる。
【０００９】
また、上記上側壁パネル９Ａの下隅部において側片１３と底片１４を一体に連続させると共に、係止部１５の下端を底片１４よりも上方に位置させて係止部１５の下端と底片１４との間に後方Ａに開口する空所１６を形成し、上記ジョイナー受け部材８の右側の収納溝２１に下側壁パネル９Ｂの係止部１５が収納される場合はジョイナー受け部材８の左側の収納溝２１に上側壁パネル９Ａの空所１６に対応する側縁１１部分が収納され、一方、ジョイナー受け部材８の左側の収納溝２１に下側壁パネル９Ｂの係止部１５が収納される場合はジョイナー受け部材８の右側の収納溝２１に上側壁パネル９Ａの空所１６に対応する側縁１１部分が収納されるようになっているのが好ましく、この場合、壁パネル９の下隅部において係止部１５の下端と底片１４との間に後方Ａに開口する空所１６を設けることで、壁パネル９の側片１３と底片１４とを絞り加工によって形成できるものであり、しかもこの壁パネル９を上側壁パネル９Ａとした場合は、ジョイナー受け部材８の左右いずれかの収納溝２１内に上側壁パネル９Ａの空所１６に対応する側縁１１部分を収納できるので、絞り加工式の壁パネル９にも本発明のジョイナー受け部材８を左右勝手自在に使用できるようになる。
【００１０】
また、上記立上片延長部１８の下端をコーナー段差面６に沿って下方に垂下させて下載置部２の外縁から立ち上げた立上片４のコーナー段差面６側の側端部に連続形成してなるのが好ましく、この場合、立上片延長部１８が下載置部２の立上片４と一体化形成されることとなり、立上片延長部１８の強度を確保でき、結果、ジョイナー受け部材８の取り付けの安定性が一層良くなる。
【００１１】
また、上記立上片延長部１８と上載置部３の側端部との間のスペースに、上端が上載置部３の上面に位置し且つ下端が下載置部２の上面に位置するようにバックアップ材２２を収納し、バックアップ材２２の前面側において下側壁パネル９Ｂの側片１３部分とこれに対向する床パンの側面部分との目地部２３を形成して、上記ガスケット１７と略一直線上に連続するように目地部２３にコーキング材２４を充填してなるのが好ましく、この場合、バックアップ材２２を立上片延長部１８を利用して安定良く収納できると共に、コーキング材２４が充填される目地部２３とガスケット１７とが略一直線上に一致することで、見栄えが良好となる。
【発明の効果】
【００１２】
本発明に係るコーナー用壁パネルの接続構造は、上載置部の立上片のコーナー段差面側の側端部から平面視略Ｌ字形の立上片延長部を突設し、平面視略Ｌ字形のジョイナー受け部材の左右両端の下部に上載置部の立上片及び立上片延長部にそれぞれ取り付けられる一対の嵌込凹部を形成すると共に、ジョイナー受け部材の左右両端の前面側にその上下方向全長に亘って壁パネルの係止部が挿入可能な一対の収納溝をそれぞれ形成したことにより、床パンのコーナー段差面においてジョイナー受け部材を上載置部の立上片及び立上片延長部にそれぞれ嵌め込むことにより、ジョイナー受け部材を左右勝手自在に使用できるようにして、部品数を削減して製造コストを低減でき、そのうえ、ジョイナーを支持するジョイナー受け部材の取り付けの安定性及び納まりが良くなる効果が得られる。
【発明を実施するための最良の形態】
【００１３】
以下、本発明を添付図面に示す実施形態に基いて説明する。
【００１４】
図１は、本発明のジョイナー受け部材８を左勝手使用した場合の一例を示し、図２は右勝手使用した場合の一例を示している。
【００１５】
先ず、床パン１は、図６、図７に示すように、その一辺１ａに沿って下載置部２が形成され、該一辺１ａにコーナー段差面６を介して直交状に連続する他辺１ｂに沿って該下載置部２よりも一段高い上載置部３が形成されている。下載置部２の外縁及び上載置部３の外縁からは立上片４，５がそれぞれ立ち上げられている。なお図６中の２５は洗い場カウンター、４１は浴槽部である。
【００１６】
上記上載置部３の立上片５のコーナー段差面６側の側端部からは、図１５に示すように、上載置部３のコーナー段差面６側の側端部よりも該立上片５と平行な方向に向けて下側壁パネル９Ｂの厚みと略同じ幅寸法で突出する横突出部１８ａと、横突出部１８ａの先端から下側壁パネル９Ｂの面方向に向けて該立上片５と直交方向に屈曲する縦突出部１８ｂとからなる平面視略Ｌ字形の立上片延長部１８が突設されている。立上片延長部１８の上端は立上片５の上端と略同じ高さで連続し且つ屈曲している。また本例では図１５に示すように、立上片延長部１８の下部をコーナー段差面６に沿って下方に延ばしてその下端を下載置部２の外縁から立ち上げた立上片４のコーナー段差面６側の側端部に連続形成している。これにより、立上片延長部１８が下載置部２の立上片４と一体化形成され、立上片延長部１８の強度向上が図られ、ジョイナー受け部材８を安定良く支持できるようになっている。
【００１７】
浴室のコーナー用壁パネル９として、下載置部２上に立設する下側壁パネル９Ｂと、上載置部３上に立設され下側壁パネル９Ｂよりも上下長さの短い上側壁パネル９Ａとを備えている。両壁パネル９Ａ，９Ｂは上下寸法が異なる以外は同じ構造をしており、その一例を図３、図４に示す。壁パネル９の表面板１０の側縁１１及び下縁１２から後方Ａに向けて略９０°屈曲した側片１３及び底片１４が絞り加工によって形成されており、さらに側片１３の後端から内側で略ム字状に折り返すようにして係止部１５が曲げ加工によって形成されている。図４中の４２は上側の取付片、４３は断熱材である。
【００１８】
また本例では、図５（ｂ）に示すように、壁パネル９の下隅部において側片１３と底片１４を一体に連続させると共に、係止部１５の下端を底片１４よりも上方に位置させて係止部１５の下端と底片１４との間に後方Ａに開口する空所１６を形成している。空所１６を設けた理由は、係止部１５及び下部取付片は曲げ加工によって形成されるが、表面板１０の側片１３及び底片１４は絞り加工によって角筒形状に形成されるものであり、空所１６を設けることで壁パネル９の側片１３と底片１４との絞り加工を可能ならしめるためである。そして、この空所１６と対向する側縁１１部分がジョイナー受け部材８の左右いずれか一方の収納溝２１内に収納されるようになっている。
【００１９】
また、壁パネル９の底片１４の後端からは、上方に向かって取付片２９が立設されており、取付片２９にだるま孔３０が穿設されている。一方、床パン１の上載置部３及び下載置部２の各立上片４，５には、図１０（ｂ）（ｃ）に示すように、断面逆略Ｕ字形をした引掛具３１が上方から嵌め込まれるようになっている。引掛具３１の前面には先端程太くなる突起３２が突設されており、この突起３２を上記取付片２９のだるま孔３０に挿通して横移動させることで、壁パネル９の取付片２９に対して引掛具３１が取り付けられている。
【００２０】
なお、壁パネル９の上隅部には、図５（ａ）に示すように、上面片２６の一部を切欠して上方に開口した開口部２７が設けられており、この開口部２７にジョイナー７と接続するための接続ピース２８を上方から嵌め込んで塞ぐようにしている。
【００２１】
一方、ジョイナー７は、図１に示すように、柱状で前方に開口する断面略コ字状に形成されている。なお図１中の６５はパッキン材である。このジョイナー７の下端部は、平面視略Ｌ字形をしたジョイナー受け部材８にて支持される。
【００２２】
ジョイナー受け部材８は、図８に示すように、その上面にジョイナー７の下端部を嵌め込んで位置決めする嵌入部１９が形成されている。嵌入部１９にはジョイナー７の下端両側部を位置決めするＶ溝部分を備えている。また、ジョイナー受け部材８の左右両端の下部には、上載置部３の立上片５及び立上片延長部１８にそれぞれ取り付けられる一対の嵌込凹部２０が形成されている。さらにジョイナー受け部材８の左右両端の前面側には、その上下方向全長に亘って、壁パネル９の係止部１５が挿入可能な一対の収納溝２１がそれぞれ形成されている。これら嵌入部１９、一対の嵌込凹部２０、一対の収納溝２１は左右対称形状をしており、左右勝手自在に使用できるものである。
【００２３】
また、上側壁パネル９Ａと下側壁パネル９Ｂの両側縁１１間には目地材としてのガスケット１７が打ち込まれる。図１４に示す例では、ガスケット１７は、外部に露出する弾性薄肉状の鍔片１７ａと、両面に弾性ヒレ片１７ｂを突設したシール片１７ｃとが平面視略Ｔ字状に一体形成されている。またガスケット１７の下端側には図９に示すジョイナー受け部材８の前面に設けた段部８ａに載置される凹段部が設けられており、ガスケット１７をジョイナー受け部材８の段部８ａにて凹段部を位置決めできるようにしている。
【００２４】
さらに図１５に示すように、上記立上片延長部１８と上載置部３の側端部との間のスペースには、スポンジ等からなるバックアップ材２２が収納される。バックアップ材２２の上端は上載置部３の上面に位置し、下端は下載置部２の上面に位置している。バックアップ材２２の前面側には図１６に示すように、下側壁パネル９Ｂの側片１３部分とこれに対向する床パンの側面部分との目地部２３が形成され、目地部２３にコーキング材２４を充填した際にバックアップ材２２によってコーキング材２４の後方Ａへの漏れを防止できるようにしている。本例ではコーキング材２４の見栄えを良くするため、上記ガスケット１７とコーキング材２４とが略一直線上に連続するように構成されている。
【００２５】
次に施工一例を説明する。図１に示すように、上側壁パネル９Ａの右隣りに下側壁パネル９Ｂが配設される場合、或いは図２に示すように、上側壁パネル９Ａの右隣りに下側壁パネル９Ｂが配設される場合のいずれにおいても、本発明の共通する１種類のジョイナー受け部材８を用いる。
【００２６】
先ず図１の施工手順を説明する。予め、図１５のように、バックアップ材２２を収納しておく。先ず図１０（ａ）（ｂ）のように、下側壁パネル９Ｂの取付片２９を引掛具３１を用いて下載置部２の立上片４に取り付ける。図１０中の６６はパッキン材である。またこのとき下側壁パネル９Ｂの下部の側片１３部分をバックアップ材２２（図１５）の前面に突き当てる。これにより図１の状態となる。この状態で、ジョイナー受け部材８の右側の収納溝２１を下側壁パネル９Ｂの側片１３に入り込ませるようにして、ジョイナー受け部材８の一方の嵌込凹部２０を上載置部３の立上片５に上方から嵌め込み、他方の嵌込凹部２０を立上片延長部１８に上方から嵌め込む。これにより、ジョイナー受け部材８の一対の嵌込凹部２０が立上片５及び立上片延長部１８に取り付けられる。その後、図１１のようにジョイナー７の一方の側壁７ａを下側壁パネル９Ｂの係止部１５に係止させながら、図１２のようにジョイナー７の下端部をジョイナー受け部材８の嵌入部１９に上方から嵌め込んで立設すると共に、ジョイナー７の上端部と下側壁パネル９Ｂの上隅部の開口部２７とを接続ピース２８（図１）にて仮接続する。つまり、接続ピース２８の片側のスカート部分を下側壁パネル９Ｂの開口部２７に嵌め込み、接続ピース２８の中央部分をジョイナー７の上端開口に挿入する。これにより、接続ピース２８によってジョイナー７及び下側壁パネル９Ｂの倒れを防止できる。その後、上側壁パネル９Ａの取付片２９を下側壁パネル９Ｂと同様な引掛具３１を用いて、上載置部３の立上片５に取り付ける。このとき、接続ピース２８を一旦取り外して、図１３のように、ジョイナー７の上下方向の全長に亘って、両壁パネル９Ａ，９Ｂの対向する各係止部１５をジョイナー７の両側壁７ａの前端部の内側に形成した被係止部４０にそれぞれ係止させた状態としてから接続ピース２８を再度取り付ける。このとき、接続ピース２８の両側のスカート部分が両壁パネル９Ａ，９Ｂの各開口部２７に嵌め込み、接続ピース２８の中央部分をジョイナー７の上端開口に嵌め込むようにする。
【００２７】
この状態で、ジョイナー７よりも下側に配置されるジョイナー受け部材８の左側の収納溝２１に、図１４（ａ）（ｂ）のように、上側壁パネル９Ａの下隅部に設けた空所１６と対応する側縁１１部分が収納されると共にジョイナー受け部材８の右側の収納溝２１には、下側壁パネル９Ｂの係止部１５が収納された状態となる。その後、上側壁パネル９Ａの上下方向全長に亘って、上側壁パネル９Ａと下側壁パネル９Ｂの両側縁１１間にガスケット１７を打ち込む。これにより、両壁パネル９Ａ，９Ｂの各係止部１５がそれぞれ、ジョイナー７の被係止部４０とガスケット１７との間で挟み込まれた状態となり、両壁パネル９Ａ，９Ｂをジョイナー７を介して接続する作業が完了する。その後、図１６のように、バックアップ材２２の前面側において下側壁パネル９Ｂの側片１３部分とこれに対向する床パンの側面部分との目地部２３にコーキング材２４を充填する。このとき見栄えを良くするために、ガスケット１７とコーキング材２４とを略一直線上に連続させる。
【００２８】
一方、図２に示すように、上側壁パネル９Ａの左隣りに下側壁パネル９Ｂが配設される場合は、図１７のようにジョイナー受け部材８の左側の収納溝２１に下側壁パネル９Ｂの係止部１５が収納され、右側の収納溝２１に上側壁パネル９Ａの空所１６に対応する側縁１１部分が収納される点を除いて、上記と同様にして施工できる。
【００２９】
しかして、上記構成によれば、上載置部３の立上片５から平面視略Ｌ字形の立上片延長部１８を突設して、該立上片５及び立上片延長部１８に対してジョイナー受け部材８の左右両側の嵌込凹部２０をそれぞれ嵌め込むことにより、コーナー段差面６においてジョイナー受け部材８が立上片５と立上片延長部１８とで両持ち支持されて取り付けの安定性が良くなる。しかも、上側壁パネル９Ａの右隣りに下側壁パネル９Ｂが配設される場合にはジョイナー受け部材８の右側の収納溝２１に下側壁パネル９Ｂの係止部１５が収納され且つ左側の収納溝２１に上側壁パネル９Ａの空所１６に対応する側縁１１部分が収納されるようになり、一方、上側壁パネル９Ａの左隣りに下側壁パネル９Ｂが配設される場合には、ジョイナー受け部材８の左側の収納溝２１に下側壁パネル９Ｂの係止部１５が収納され且つ右側の収納溝２１に上側壁パネル９Ａの空所１６に対応する側縁１１部分が収納されるようになる。従って、１つのジョイナー受け部材８が左右勝手自在に使用できるようになり、部品数を削減して製造コストを低減できる効果が得られる。そのうえ立上片延長部１８の横突出部１８ａは下側壁パネル９Ｂの厚みと略同じ幅寸法で突出しているので、立上片延長部１８が下側壁パネル９Ｂの厚み範囲に納まって下側壁パネル９Ｂの後側に大きく突出することがないため、ジョイナー７を支持するためのジョイナー受け部材８の納まりが良好になる利点もある。
【００３０】
また本例では、壁パネル９の下隅部において係止部１５の下端と底片１４との間に後方Ａに開口する空所１６を形成したので、壁パネル９の側片１３と底片１４とを絞り加工によって形成できるものであり、しかもこの壁パネル９を上側壁パネル９Ａとした場合は、ジョイナー受け部材８の左右いずれかの収納溝２１内に上側壁パネル９Ａの空所１６に対応する側縁１１部分を収納できるので、絞り加工式の壁パネル９にも本発明のジョイナー受け部材８を左右勝手自在に使用できるようになる。
【００３１】
なお、上記実施形態では、上側壁パネル９Ａの下隅部に空所１６を設けた場合を例示したが、必ずしも空所１６は必要ではなく、例えば空所１６を持たない上側壁パネル９Ａの係止部１５を、ジョイナー受け部材８の左右いずれかの収納溝２１に収納できるようになっているので、空所１６を持たない上側壁パネル９Ａにも本発明のジョイナー受け部材８を左右勝手自在に使用できるものである。
【００３２】
また、本発明のジョイナー受け部材８は、コーナー段差面６に使用される場合に限らず、段差面のない平坦なコーナー部においても、同様に使用できるものである。
【図面の簡単な説明】
【００３３】
【図１】本発明の一実施形態のジョイナー受け部材を左勝手使用した場合の一例を示す斜視図である。
【図２】同上のジョイナー受け部材を右勝手使用した場合の一例を示す斜視図である。
【図３】同上の壁パネルの正面図である。
【図４】（ａ）は図３のＦ−Ｆ線断面図、（ｂ）は図３の壁パネルの側面図、（ｃ）は一部背面図。（ｄ）は図３のＥ−Ｅ線断面図、（ｅ）は図３の壁パネルの平面図、（ｆ）は図３の壁パネルの下面図である。
【図５】（ａ）は図３のＧ部を背面側から見た斜視図、（ｂ）は図３のＨ部を背面側から見た斜視図である。
【図６】（ａ）は同上の床パンの平面図、（ｂ）は斜視図である。
【図７】同上のコーナー段差面の一部破断した側面図である。
【図８】（ａ）はジョイナー受け部材を正面から見た斜視図、（ｂ）は背面から見た斜視図である。
【図９】同上のジョイナー受け部材の嵌入部にジョイナーの下端部を嵌め込み、且つ嵌込凹部を立上片に嵌め込んだ状態の側面断面図である。
【図１０】（ａ）は同上の下載置部に下側壁パネルを立て掛ける状態を説明する斜視図、（ｂ）、（ｃ）は壁パネルに取り付けた引掛具を立上片に嵌め込む場合の説明図である。
【図１１】同上の下側壁パネルの係止部にジョイナー受け部材の右側の収納溝を挿入する動作を説明する斜視図である。
【図１２】同上のジョイナー受け部材の嵌入部にジョイナーの下端部を上方から嵌め込んで立設する場合を説明する斜視図である。
【図１３】同上のジョイナーの上下方向の全長に亘って、両壁パネルの対向する各係止部をジョイナーの両側壁の前端部の内側に形成した被係止部にそれぞれ係止させた状態を示す平面断面図である。
【図１４】（ａ）は同上の右勝手使用時のジョイナー受け部材とジョイナーと両壁パネルとの接続状態を示す平面断面図、（ｂ）は（ａ）のＪ−Ｊ線断面図である。
【図１５】（ａ）（ｂ）は同上の立上片延長部の内側にバックアップ材を収納する場合を説明する平面図及び斜視図である。
【図１６】同上のバックアップ材の前面側の目地部に沿ってコーキング材を充填する場合を説明する一部破断した斜視図である。
【図１７】（ａ）は同上の左勝手使用時のジョイナー受け部材とジョイナーと両壁パネルとの接続状態を示す平面断面図、（ｂ）は（ａ）のＪ´−Ｊ´線断面図である。
【図１８】（ａ）は従来の右勝手使用のジョイナー受け部材の斜視図、（ｂ）は左勝手使用のジョイナー受け部材の斜視図である。
【図１９】従来の施工手順の一例を説明する斜視図である。
【図２０】従来の施工手順の一例を説明する斜視図である。
【符号の説明】
【００３４】
１  床パン
１ａ  一辺
１ｂ  他辺
２  下載置部
３  上載置部
４，５  立上片
６  コーナー段差面
７  ジョイナー
７ａ  両側壁
８  ジョイナー受け部材
９  壁パネル
９Ｂ  下側壁パネル
９Ａ  上側壁パネル
１０  表面板
１１  側縁
１２  下縁
１３  側片
１４  底片
１５  係止部
１６  空所
１７  ガスケット
１８  立上片延長部
１９  嵌入部
２０  嵌込凹部
２１  収納溝
２２  バックアップ材
２３  目地部
２４  コーキング材
Ａ  後方
【図１】
0004635812.tif 000002
【図２】
0004635812.tif 000003
【図３】
0004635812.tif 000004
【図４】
0004635812.tif 000005
【図５】
0004635812.tif 000006
【図６】
0004635812.tif 000007
【図７】
0004635812.tif 000008
【図８】
0004635812.tif 000009
【図９】
0004635812.tif 000010
【図１０】
0004635812.tif 000011
【図１１】
0004635812.tif 000012
【図１２】
0004635812.tif 000013
【図１３】
0004635812.tif 000014
【図１４】
0004635812.tif 000015
【図１５】
0004635812.tif 000016
【図１６】
0004635812.tif 000017
【図１７】
0004635812.tif 000018
【図１８】
0004635812.tif 000019
【図１９】
0004635812.tif 000020
【図２０】
0004635812.tif 000021